Podtech/llm-jp-corpus-v4-ja_patent huggingface dataset:
(57)【要約】【課題】適度な辛味を有するちりめんじゃこ加工食品を製造する方法を提供すること。【解決手段】醸造酒を含む処理液中でちりめんじゃこを加熱し、ちりめんじゃこを処理液から取り出す工程と、ごま油を含む食用油脂中で唐辛子を加熱してから、唐辛子及び食用油脂にちりめんじゃこ及び醤油を混ぜ合わせる工程と、ちりめんじゃこ及び唐辛子を含む調理物を乾燥する工程とを備える、ちりめんじゃこ加工食品の製造方法。【選択図】なし【特許請求の範囲】
【請求項１】
醸造酒を含む処理液中でちりめんじゃこを加熱し、前記ちりめんじゃこを前記処理液から取り出す工程と、
ごま油を含む食用油脂中で唐辛子を加熱してから、前記唐辛子及び前記食用油脂に前記ちりめんじゃこ及び醤油を混ぜ合わせる工程と、
前記唐辛子、前記食用油脂、前記ちりめんじゃこ及び前記醤油を含む調理物を乾燥する工程と、
を備える、ちりめんじゃこ加工食品の製造方法。
【請求項２】
前記唐辛子が、真空パックされた状態で冷凍保存された唐辛子である、請求項１に記載の製造方法。
【発明の詳細な説明】
【技術分野】
【０００１】
本発明は、ちりめんじゃこ加工食品の製造方法に関する。
【背景技術】
【０００２】
ちりめんじゃこは、梅風味等の種々の味付けが施されたちりめんじゃこ加工食品として提供されている（例えば、特許文献１。）。
【先行技術文献】
【特許文献】
【０００３】
【特許文献１】特開２００８−０１１７４９号公報
【発明の概要】
【発明が解決しようとする課題】
【０００４】
本発明の目的は、適度な辛味を有するちりめんじゃこ加工食品を製造する方法を提供することにある。
【課題を解決するための手段】
【０００５】
本発明に係るちりめんじゃこ加工食品の製造方法は、醸造酒を含む処理液中でちりめんじゃこを加熱し、ちりめんじゃこを処理液から取り出す工程と、ごま油を含む食用油脂中で唐辛子を加熱してから、唐辛子及び食用油脂にちりめんじゃこ及び醤油を混ぜ合わせる工程と、唐辛子、食用油脂、ちりめんじゃこ及び醤油を含む調理物を乾燥する工程とを備える。
【０００６】
上記本発明に係る製造方法によれば、適度な辛味を有する新規なちりめんじゃこ加工食品を製造することができる。醸造酒を含む処理液中でちりめんじゃこを加熱することにより、ちりめんじゃこが洗浄されるとともに、ちりめんじゃこから塩分が除去され、更に、醸造酒に由来する風味がちりめんじゃこに付与される。このちりめんじゃこを、ごま油及び唐辛子を用いて加工することにより、過度に辛すぎず、適度な辛味を有するちりめんじゃこ加工食品を得ることが可能となったと考えられる。
【０００７】
唐辛子は、真空パックされた状態で冷凍保存されたものであることが好ましい。これにより、唐辛子の収穫時期によらず、安定して適度な辛味及び良好な風味を有するちりめん加工食品を製造することができる。
【発明の効果】
【０００８】
本発明によれば、過度に辛すぎず、適度にマイルドな辛味を有するちりめんじゃこ加工食品を製造することが可能である。また、得られるちりめんじゃこ加工食品は、カビが発生しにくく、良好な保存安定性を有する。
【発明を実施するための形態】
【０００９】
以下、本発明の好適な実施形態について詳細に説明する。ただし、本発明は以下の実施形態に限定されるものではない。
【００１０】
本実施形態に係る製造方法は、切断されて真空パックされた状態で唐辛子を冷凍保存する工程と、醸造酒を含む処理液中でちりめんじゃこを加熱し、ちりめんじゃこを処理液から取り出す工程と、ごま油を含む食用油脂中で唐辛子を加熱してから、唐辛子及び食用油脂にちりめんじゃこ及び醤油を混ぜ合わせる工程と、ちりめんじゃこ及び唐辛子等を含む調理物を乾燥する工程とを備える。
【００１１】
唐辛子は、好ましくは青唐辛子である。唐辛子の切断方法は特に限定されないが、ちりめんじゃこ加工食品の適度な辛味及び食感の観点から、みじん切りが好ましい。切断された唐辛子は、使用されるまでの間、真空パックされた状態で冷凍保存される。冷凍保存された唐辛子は、そのまま用いてもよいし、解凍してから用いてもよい。
【００１２】
醸造酒を含み、ちりめんじゃこを加熱するために用いられる処理液は、醸造酒に水等を加えて薄めたものであってもよいし、任意の他の食用成分を含んでいてもよいが、好ましくは醸造酒をそのまま加熱して処理液として用いる。加熱の温度は、ちりめんじゃこの洗浄及び塩抜きが十分に進行する程度に適宜調整される。好ましくは、ちりめんじゃこを、醸造酒を含む処理液中で煮沸する。醸造酒は、好ましくは清酒である。処理液の量は、ちりめんじゃこを浸すことができる程度でよい。例えば、ちりめんじゃこの重さに対して２倍程度の重さの処理液が用いられる。加熱されたちりめんじゃこは、ざる等を用いて処理液から取り出される。
【００１３】
食用油脂は、ごま油と、例えば紅花油のようなその他の食用油及び／又は食用の脂肪とを含むことができる。食用油脂は、例えば１〜５０体積％程度のごま油を含む。
【００１４】
ガスこんろ等の任意の手段により加熱された食用油脂に対して、唐辛子が加えられる。あるいは、食用油脂に唐辛子を加えてから、食用油脂を加熱してもよい。好ましくは掻き混ぜながら、唐辛子に食用油脂が適度に浸透する程度に、食用油脂中で唐辛子が加熱される。食用油脂の質量は、例えば、加熱される唐辛子の質量と同程度であり得る。加熱の時間は、通常は数分間である。
【００１５】
唐辛子を食用油脂中で加熱した後、好ましくは加熱を続けながら、唐辛子及び食用油脂を含む調理物に、醸造酒により加熱処理されたちりめんじゃこが混ぜ合わせられる。唐辛子の量は、通常、ちりめんじゃこの質量に対して１〜５０質量％程度である。
【００１６】
次いで、調理物に醤油を適量加え、調理物全体を掻き混ぜることにより、醤油が調理物全体に均一に行き渡るように、醤油とちりめんじゃこ等とを混ぜ合わせる。醤油の他に、清酒等のその他の調味料を適宜加えてもよい。
【００１７】
ちりめんじゃこ、唐辛子、食用油脂及び醤油を含む調理物を乾燥して、ちりめんじゃこ加工食品が得られる。乾燥は、通常は自然乾燥でよい。例えば、調理物を薄く拡げた状態でしばらく放置することにより、効率的に自然乾燥することができる。
(57)【要約】【課題】本発明は、天然抽出水を植物栽培・茸の菌床栽培における培地仕込み工程等において、水溶性成分含有物質組成の有効成分の抽出による殺菌性・消毒性・衛生環境活用方法及び製造方法を提供する。【解決手段】本発明は、水溶性被抽出原料を浸透性のある袋状に入れ、それを天然抽出水に入れる事の効果で、殺菌作用が働き、さらにアルカリ性で中和反応されることで、抽出物成分組成抽出が効率良く製造され、することを特徴とする植物栽培・茸の菌床栽培における培地基材等の処理方法。【選択図】なし【特許請求の範囲】
【請求項１】
植物栽培・茸の菌床栽培における培地仕込み工程等において、培地基材を木質・植物を加熱分解して得られる天然抽出物の酸性水ｐＨ３±１を透水性のある袋素材に入れ培地基材内部を浸漬することにより殺菌性・消毒性効果が得られることを特徴とする茸の菌床栽培における培地基材等の処理方法。
【請求項２】
請求項１の培地基材にアルカリ水に浸漬することにより中和反応の被抽出物成分組成抽出を得たことを特徴とする植物栽培・茸の菌床栽培における培地基材等の処理方法。
【請求項３】
請求項２に請求項１の単独で用いても良く、また請求項１に請求項２の被抽出物素材混合によって成分組成を得ることを特徴とする植物栽培・茸の菌床栽培における培地基材等の処理方法。
【請求項４】
請求項３において好ましくは電気分解水を用いると良いが、中和水に安価な水道水、天然水、ミネラル水、酸化還元水、活性水、製氷水、超微粒子水を用いることの想定内、同等の成果を得ることを特徴とする植物栽培・茸の菌床栽培における培地素材等の処理方法。
【請求項５】
前記、請求項１から４において本発明趣旨を逸脱しない範囲の変更は、本発明に含まれる。
【発明の詳細な説明】
【技術分野】
【０００１】本発明は、植物栽培・茸の菌床栽培等における培地仕込み等の工程において、ｐＨ調整を用いた殺菌効果手法と被抽出物質から得られる含有物質の成分組成の製造に関するものである。【０００２】本発明は、木質・植物を加熱分解することによって得られる天然抽出物によるｐＨ調整化合物の成分組成を大量生産が可能なことから、産業開発において期待できる。【０００３】被抽出物質の成分組成の利便性に関するものである。
【背景技術】
【０００４】天然抽出物の強酸性による殺菌性・消毒性成分物質については，公知とされている。しかし、植物栽培・茸の培地基材等において、ボイラ−による加熱殺菌方法が採用され、培地内在の茸菌糸の揮発性成分が放散され培地環境を弱め、菌糸に不均一が生じ、有効のないままが実態である。ボイラ−設備、伴う燃料の導入コストの高額・環境問題に問題がある。
【発明の開示】
【発明が解決しようとする課題】
【０００５】本発明は、前記従来を鑑みて、植物栽培・茸の菌床栽培の培地基材仕込み工程等において、天然抽出水を浸漬することにより殺菌性・消毒性効果が容易に確実に効果が得られる。【０００６】本発明は、このような実状に鑑みなされたものであり、成分物質は水溶性成分を含有していることからボイラ−による加熱方法から、天然抽出水を用いたｐＨ調整を可能とする植物栽培・被抽出物質等の菌糸に必要な水分補給を与える茸菌の成分を促進とする。含有成分組成を発揮させる茸の菌床栽培における培地基材等の処理方法とその提供を目的とする。
【課題を解決するための手段】
【０００７】課題を解決するため、被抽出物質を天然抽出水でｐＨ調整可能とした本発明技術は、浸透性の装置に被抽出物を封入することで有効成分の組成構造の植物栽培・茸の菌床栽培における培地基材等を図ったことによる、好ましい選択の合理的構成が得られ、この発明に到達した。
【発明の効果】
【０００８】以上のように、本発明技術は、有効成分を無駄なく発揮され、融合性に優れ、汎用され、産業への期待は大きい。【０００９】この発明は、原料となるものを浸透性のある袋状にいれ、それを水中に入れ成分を抽出物として、効率が良く製造されることを特徴とする。【００１０】天然素材の有用な物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を請求項１から請求項５から得たことを特徴とする。例えば、前述の被抽出物質を透水性の良い袋状に入れ、天然抽出水の酸性・アルカリ性のｐＨ調整液体物質に浸漬ことで成果を得た。植物栽培・培地基材等による成分組成加工を図ることの選択による好ましい効果が得られる。【００１２】上記技術でもって、有効物質の含有する成分を効率よく抽出できる。成分を多く含む効果を得ることができる。前述の好ましくは天然抽出水を用いるのが良いが、酸性を保持し、水道水・天然水・ミネラル水・酸化還元水・活性水・製氷水・超微粒子水等の用いることに限るものではない。
【産業上の利用可能性】
【００１３】本発明の、成分組成の抽出する方法及び製造方法は、天然素材加工技術によることを特徴としている。【００１４】上記、地域の天然資源を活用することで産業上の利用可能性を有する。
(57)【要約】【課題】本発明は、菌床栽培における培地仕込み工程において、水溶性成分含有物質組成の有効成分の抽出において殺菌する方法及び培地基材の製造方法を提供する。【解決手段】本発明は、水溶性被抽出原料に電気分解酸性水の接触効果で、殺菌作用が働き、さらにアルカリ性で中和反応されることで、抽出物成分組成抽出が効率良く製造されることを特徴とする汎用性を特徴とする菌床栽培における培地基材の製造方法。【選択図】なし【特許請求の範囲】
【請求項１】
菌床栽培における培地仕込み工程において、培地基材を電気分解水の酸性水ｐＨ３±１を培地基材内部に電気分解水を接触することにより殺菌効果を得ることを特徴とする菌床栽培における培地基材の製造方法。
【請求項２】
請求項１の培地基材に電気分解水のアルカリ水ｐＨ１０±１を接触することにより、中和反応の被抽出物成分組成抽出を得たことを特徴とする菌床栽培における培地基材の製造方法。
【請求項３】
請求項２に請求項１の単独で用いても良く、また請求項１に請求項２の被抽出物素材混合によって成分組成を得ることを特徴とする菌床栽培における培地基材の製造方法。
【請求項４】
請求項３において好ましくは電気分解水を用いると良いが、水道水、天然水、ミネラル水、酸化還元水、活性水、製氷水、超微粒子水を用いることの想定内、同等の成果を得ることを特徴とする菌床栽培における培地基材の製造方法。
【請求項５】
前記、請求項１から４において汎用性の本発明趣旨を逸脱しない範囲の変更は、本発明に含まれる。
【発明の詳細な説明】
【技術分野】
【０００１】本発明は、菌床栽培における培地仕込み工程において、電気分解水を用いた被抽出物質から得られる含有物質成分組成の培地基材の製造に関するものである。【０００２】電気分解水による、ｐＨ調整化合物の成分組成を大量生産することを特徴とする。【０００３】菌床物質の成分組成の汎用性に関するものである。
【背景技術】
【０００４】従来ボイラ−による加熱殺菌方法が採用され、培地内在の菌糸の揮発性成分が放散され培地環境を弱め、菌糸に不均一が生じている。ボイラ−設備、伴う燃料の導入・コストの高額・環境問題等に問題がある。
【発明の開示】
【発明が解決しようとする課題】
【０００５】本発明は、前記従来を鑑みて、菌床栽培の培地基材仕込み工程において、電気分解水を接触することにより殺菌効果が容易に得られる。【０００６】本発明は、このような実状に鑑みなされたものであり、公知、成分物質は水溶性成分を含有している。
ボイラ−による加熱方法から、電気分解水を用いたｐＨ調整を可能とする培地基材は、被抽出物質の菌糸に必要な水分補給を与え、菌糸の成分を促進とする含有成分組成を発揮させる。菌床栽培における培地基材の製造方法とその提供を目的とする。
【課題を解決するための手段】
【０００７】課題を解決するため、被抽出物質を電気分解水でｐＨ調整可能とした本発明技術は、被抽出物質に接触することで、有効成分の組成構造の菌床栽培において、培地基材の好ましい選択の合理的構成が得られる。
【発明の効果】
【０００８】以上のように、菌床栽培の培地基材の製造は、有効成分に無駄なく・融合性・汎用性に優れていることを特徴とし、産業の期待は大きい。【０００９】この発明は、原料の抽出物は、容易な低コストの設備で、効率良く製造されることを特徴とする。【００１０】天然素材の有用な物質は、各地域の地域資源の利用技術と天然資源の活用から安定供給ができる。規模の自在設定ができることからも地域産業に貢献することを特徴とする。
【発明を実施するための最良の形態】
【００１１】本発明は、有効成分組成を請求項１から請求項５から得たことを特徴とする。
前述の被抽出物質に電気分解水の酸性・アルカリ性のｐＨ調整液体物質に接触することで、培地基材による成分組成加工を図ることの選択による好ましい効果が得られる。【００１２】上記技術でもって、有効物質の含有する成分を効率よく抽出できる。成分を多く含む効果を得ることができる。
前述の好ましくは電気分解水を用いるのが良いが、適正酸性を保持し、アルカリ性調整を、水道水・天然水・ミネラル水・酸化還元水・活性水・製氷水・超微粒子水等を用いることに限定するものではない。
汎用性のある本発明趣旨を逸脱しない範囲の変更は、本発明に含まれることを特徴とする。
【産業上の利用可能性】
【００１３】本発明の、成分組成の抽出する方法及び製造方法は、天然素材加工技術によることを特徴とする菌床栽培の培地基材の製造方法。【００１４】上記、地域の天然資源を活用することで産業上の利用可能性を有する。
(57)【要約】【課題】本発明は、茸の菌床栽培における培地仕込み工程において、水溶性成分含有物質組成の有効成分の抽出において殺菌する方法及び製造を提供する。【解決手段】本発明は、水溶性被抽出原料を電気分解酸性水の噴霧効果で、殺菌・除菌作用が働き、さらに、アルカリ性で中和反応されることで、抽出物成分組成抽出が効率良く製造され、することを特徴とする茸の菌床栽培・親菌植菌培養における培地基材の処理方法。【選択図】なし【特許請求の範囲】
【請求項１】
茸の菌床栽培における培地仕込み工程において、培地基材を電気分解水の酸性水ｐＨ３±１を培地基材内部に噴霧することにより殺菌効果を得ることを特徴とする茸の菌床栽培・親菌植菌培養における培地基材の処理方法。
【請求項２】
請求項１の菌床栽培・親菌植菌培養培地基材に電気分解水のアルカリ水ｐＨ１０±１を噴霧することにより中和反応の被抽出物成分組成抽出を得ることを特徴とする茸の菌床栽培・親菌植菌培養における培地基材の処理方法。
【請求項３】
請求項２に請求項１の単独で用いても良く、また請求項１に請求項２の被抽出物素材混合によって成分組成を得ることを特徴とする茸の菌床栽培・親菌植菌培養における培地基材の処理方法。
【請求項４】
請求項３において好ましくは電気分解水を用いると良いが、水道水・地下水・天然水、ミネラル水、酸化還元水、活性水、製氷水、超微粒子水、これらの混合水を用いることで想定内の成果を得ることを特徴とする茸の菌床栽培・親菌植菌培養における培地素材の処理方法。
【請求項５】
培地の表面にｐＨ６±１請求項４を噴霧することにより、空中の浮遊細菌の殺菌・除菌と消臭効果を可能とする。噴霧効果は、茸の培養・生育・湿度調整に効果が発揮される。これ等、請求項１から請求項５において本発明趣旨を逸脱しない範囲の変更は、本発明に含まれる。
【発明の詳細な説明】
【技術分野】
【０００１】本発明は、茸の菌床栽培・親菌植菌培養における培地仕込み工程を、電気分解水を用い、被抽出物質から得られる含有物質の成分組成の製造に関するものである。【０００２】電気分解水によるｐＨ調整化合物の成分組成を大量生産が可能なことから、茸産業において注目できる。【０００３】被抽出物質の成分組成の利便性に関するものである。
【背景技術】
【０００４】従来、ボイラ−による加熱殺菌方法が採用され、培地内在の茸菌糸の揮発性成分が放散され培地環境を弱め、菌糸に不均一が生じ、有効のないままが実態である。ボイラ−設備、伴う燃料の導入コストの高額・環境問題に問題がある。
【発明の開示】
【発明が解決しようとする課題】
【０００５】本発明は、前記従来を鑑みて、茸の菌床栽培・親菌植菌栽培の培地基材仕込み工程において、電気分解水を噴霧することにより殺菌効果が容易に確実に効果が得られる。【０００６】本発明は、このような実状に鑑みなされたものであり、成分物質は水溶性成分を含有していることからボイラ−による加熱方法から、電気分解水を用いたｐＨ調整可能とする被抽出物質の菌糸に必要な水分補給を与える茸菌の成分を促進とする含有成分組成を発揮させる茸の菌床栽培・親菌植菌培養における培地基材の処理方法とその提供を目的とする。
【課題を解決するための手段】
【０００７】課題を解決するため、被抽出物質を電気分解水でｐＨ調整可能とした本発明技術は、有効成分組成構造の茸の菌床栽培・親菌植菌培養における培地基材の処理方法による。よって、好ましい選択の合理的構成が得られ、この発明に到達した。
【発明の効果】
【０００８】本発明によると、茸菌糸を培養した培養基から原基の均一・均質の育成効果が発揮できる。以上のように、本発明技術は、有効成分を無駄なく発揮され、融合性に優れ、汎用され、茸育成産業の期待は大きい。【０００９】この発明は、菌床栽培・親菌植菌培養培地基材に電気分解水の酸性水ｐＨ３±１を培地基材内に噴霧することにより殺菌効果の得られることを特徴とする。さらにアルカリ水ｐＨ１０±１を培地基材に噴霧することにより、中和反応の被抽出物成分組成抽出を得る茸の菌床栽培・親菌植菌培養における培地基材の処理方法は、効率良く製造されることを特徴とする。【００１０】化石燃料を用いない、天然素材の有用な物質活用は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を請求項１から請求項５から得たことを特徴とする。例えば、前述の被抽出物質を透水性の良い袋状に入れ、電気分解水の酸性・アルカリ性のｐＨ調整液体物質に浸漬ことで成果を得た。培地基材による成分組成加工を図ることの選択による好ましい効果が得られる。【００１２】上記技術でもって、有効物質の含有する成分を効率よく抽出できる。成分を多く含む効果を得ることができる。前述の好ましくは電気分解水を用いるのが良いが、水道水・地下水・天然水・ミネラル水・酸化還元水・活性水・製氷水・超微粒子水、これらの混合水を用いることで想定内の成果を得ることを特徴とする茸の菌床栽培・親菌植菌培養における培地素材の処理ができる。【００１３】培地の表面に、単一のｐＨ６±１を噴霧することにより、空中の浮遊細菌の殺菌・除菌と消臭効果を可能とする。噴霧効果は、茸の培養・生育・湿度調整に効果が発揮される。
【産業上の利用可能性】
【００１４】本発明の、成分組成の抽出する方法及び製造方法は、天然素材加工技術によることを特徴としている。【００１５】上記、地域の天然資源を活用することで産業上の利用可能性を有する。
(57)【要約】      （修正有）【課題】確実に子ネズミをも捕獲できる捕獲器を提供する。【解決手段】バネを使用せず、筒に誘導して閉じ込めるタイプであり、ネズミの警戒心を引き起こさないため、捕獲が容易に行えます。筒の向こう側が見られるので、ネズミも警戒なく入って来ます。各筒の上の中心約６ｃｍ四方に切りぬき、プラスチックカバーにエサ棒が通る穴を空け、中が見えエサのセットやネズミの捕獲が見えるようにしました。【選択図】図２
2012085630.tif 000002
【特許請求の範囲】
【請求項１】
球状の突起に乗せた中央のエサ棒と、連動した角筒入口の扉部分。ネズミがエサを取る際にエサ棒に軽く触れるだけで棒が落下し、扉を支えていたひもが緩んで左右の扉が閉まる仕組み。
【発明の詳細な説明】
【技術分野】
【０００１】入口を左右につけ、ネズミが入り易いように角筒（約１０ｃｍ四方）両入口に戸を付け戸にもひもを付け上に釣り上げるようにし、その中心にエサ棒と底面に突起物を置き、その上に縦棒を乗せ、引き上げたひもを先端の丸球の所に乗せる。ネズミがエサ棒に触れた瞬間、下の突起物からずり落ち、その瞬間ひもが落下し、両扉が一瞬にしてしまり、ネズミを捕獲できるようにしました。
【背景技術】
【０００２】従来は粘着型のネズミ捕りが大半でしたが、粘着物の臭いがネズミに察知されたり、バネの付いた網カゴの場合は、バネが強すぎて子ネズミなどエサだけで逃げられてしまうケースがありました。本発明によりバネを使用せず、筒に誘導して閉じ込めるタイプであり、ネズミの警戒心を引き起こさないため、捕獲が容易に行えます。
【発明が解決しようとする課題】
【０００３】ネズミは壁際を通る事が多いので、各筒にして左右どちらからでもはいれるようにしました
【課題を解決するための手段】
【０００４】筒の向こう側が見られるので、ネズミも警戒なく入って来ます。各筒の上の中心約６ｃｍ四方に切りぬき、プラスチックカバーにエサ棒が通る穴を空け、中が見えエサのセットやネズミの捕獲が見えるようにしました。
【図面の簡単な説明】
【０００５】
【図１】がエサをセットした状態。
【図２】はネズミがエサに触れ、エサ棒がずれてひもが落下し、支えていた扉が閉まった状態。
【発明の効果】
【０００６】筒の向こう側が見られるので、ネズミも警戒なく入って来ます。エサ棒が外れ、ひもが落下した時、両ドアが一瞬にしてしまるので捕獲が簡単にできます。
【図１】
2012085630.tif 000003
【図２】
2012085630.tif 000004
(57)【要約】【課題】本発明は、植物栽培における培地仕込みの工程において、水溶性成分含有物質組成の有効成分の抽出において培地基材を電気分解水・植物の天然抽出物物質酸性水ｐＨ３±１の有効活用をもって、消毒・殺菌する方法及び製造を提供する。【解決手段】本発明は、水溶性被抽出原料を浸透性のある袋状に入れ、それを電気分解酸性水に入れる事の効果で、殺菌作用が働き、さらにアルカリ水ｐＨ１０±１で中和反応されることで、抽出物成分組成抽出が効率良く製造され、することを特徴とする植物栽培における培地基材の無菌培地の処理方法。【選択図】図１
2012085625.tif 000002
【特許請求の範囲】
【請求項１】
植物栽培における培地仕込みの工程において、培地基材を電気分解水・植物の天然抽出物質の酸性水ｐＨ３±１を透水性のある袋素材に入れ培地基材内部に浸漬装置・噴霧装置・スプリンクラー装置・シャワー装置をすることにより消毒効果・殺菌効果を得ることを特徴とする無菌培地とその製造方法。
【請求項２】
請求項１の培地基材に電気分解水アルカリ水ｐＨ１０±１を浸漬装置・噴霧装置・スプリンクラー装置・シャワー装置をすることにより、中和反応の被抽出物成分組成抽出を得たことを特徴とする無菌培地とその製造方法。
【請求項３】
請求項１に請求項２の被抽出物素材混合によって成分組成を得ることを特徴とする無菌培地とその製造方法。
【請求項４】
請求項２において好ましくは電気分解水を用いると良いが、水道水、天然水、ミネラル水、酸化還元水、活性水、製氷水、超微粒子水を用いることで、同等の成果を得ることを特徴とする無菌培地とその製造方法。
【請求項５】
前記、請求項１から４において汎用性の本趣旨を逸脱しない範囲の変更は、本発明に含まれる。
【発明の詳細な説明】
【技術分野】
【０００１】本発明は、植物栽培における培地仕込み工程において、電気分解水・植物の天然抽出物質酸性水ｐＨ３±１から得られる含有物質の成分組成の無菌培地とその製造に関するものである。【０００２】電気分解水・植物の天然抽出物質によるｐＨ調整化合物の成分組成物は、大量生産の可能なことから、産業開発において期待できる。【０００３】被抽出物質の成分組成の汎用性・利便性に関するものである。
【背景技術】
【０００４】従来、ボイラーによる加熱殺菌方法が採用されている。
しかし、培地内在組成成分が放散され培地環境を弱め、不均一が生じ、有効のないままが実態である。
ボイラー設備の高額費用、伴う燃料の導入コストの高額費用・殺菌処理に要する長時間、伴う人件費の高騰・燃料費の高騰・ＣＯ２排出温暖化問題等事業経営・自然環境問題を引き起こしている
【発明の開示】
【発明が解決しようとする課題】
【０００５】本発明は、前記従来を鑑みて、植物の培地基材仕込み工程において、電気分解水・植物の天然抽出物質の酸性水ｐＨ３±１を培地基材に浸漬装置・噴霧装置・スプリンクラー装置・シャワー装置をすることにより消毒効果・殺菌効果が容易に得られる。【０００６】本発明は、従来の実状に鑑みなされたものであり、成分物質は水溶性成分を含有していることからボイラーによる加熱方法から、電気分解水・植物の天然抽出物質を用いた無菌培地を提供する。
ｐＨ調整可能とする被抽出物質に必要な水分補給を与える無菌培地の製造促進とし、含有成分組成を発揮させる植物栽培における培地基材の無菌培地とその製造方法の提供を目的とする。
【課題を解決するための手段】
【０００７】課題を解決するため、被抽出物質を電気分解水・植物の天然抽出物質でｐＨ調整を可能とした本発明技術は、浸透性の装置・浸漬装置・噴霧装置・スプリンクラー装置・シャワー装置を導入することで有効成分の組成構造の植物栽培における消毒効果・殺菌効果による培地基材を図ったことによる。
好ましい装置選択によって、合理的構成が得られる発明に到達した。
【発明の効果】
【０００８】以上のように、無菌培地基材は、融合性に優れ、汎用され、汎用性産業への期待は大きい。【０００９】この発明は、植物栽培における培地仕込みの工程において、培地基材を浸漬装置・噴霧装置・スプリンクラー装置・シャワー装置による無菌培地が効率良く製造されることを特徴とする。【００１０】分解水・天然抽出物質は、各地域の地域水資源の利用技術となる。
しかも、天然資源の活用から安定供給ができ、規模の自在設定ができることからも地域産業に貢献することを特徴とする。
【発明を実施するための最良の形態】
【００１１】本発明は、有効成分組成を請求項１から請求項５から得たことを特徴とする。
例えば、前述を透水性の良い袋状に入れ、電気分解水の酸性・アルカリ性のｐＨ調整液体物質に浸漬ことで消毒効果・殺菌成果を得る。
同じく、噴霧装置・スプリンクラー装置・シャワー装置による培地基材に無菌培地に同等効果を得る。
上記、培地基材成分組成加工を図ることの選択により好ましい効果が得られる。【００１２】上記技術でもって、有効物質の含有する成分を効率よく抽出できる。成分を多く含む効果を得ることができる。
前述の好ましくは電気分解水を用いるのが良いが、植物の天然抽出物質の酸性を保持し、水道水・天然水・ミネラル水・酸化還元水・活性水・製氷水・超微粒子水等の用いることに限るものではない。
汎用性の本発明に発明趣旨を逸脱しない範囲の変更は、本発明に含まれることを特徴とした。
【産業上の利用可能性】
【００１３】本発明の、植物栽培における無菌培地成分組成の抽出天然抽出物質を無菌培地の製造、および製造方法は、天然素材加工技術によることを特徴としている。【００１４】上記、地域の天然資源の利用・活用することで安定供給ができ、事業規模による自在設定を可能とすることからも産業上の利用可能性を有し、地域貢献を特徴とする。
【図面の簡単な説明】
【図１】無菌培地製造装置
【符号の説明】
【００１５】  １、      貯留タンク
２、      培地
３、      材料
４、      スクリーン（振動）
５、      シュート
６、      酸性水
７、      アルカリ水
８、      通常水
９、      シャワー・噴霧・スプリンクラー
１０、      絞りローラー
１１、      ベルトコンベア
１２、      容器詰
【図１】
2012085625.tif 000003
(57)【要約】【課題】自然環境に優しいｐＨ値調整の植物用培地基材を耐水性・耐久性・弾力性そして２次加工性に優れた特徴を保持し、水平面・垂直面・斜面等に植生対応の緑化製造方法を提供することにある。しかも、製造方法は，高額な設備投資を押さえ、比較的簡単な装置を用い、常温作業、攪拌混合技術でもって大量生産することができ、諸効果のあることを特徴とした。【解決手段】本発明は、上記諸課題を解決し、地域の天然資源を活用することにより地域事業を育成し、さらに地域の産業開発となる。【選択図】なし【特許請求の範囲】
【請求項１】
植物性炭化物粉粒体・粘土系鉱物粉粒体・木質チップ材等保水材を培地配合・混合とし、ｐＨ値調整を特徴とした培地基材及びその製造方法。
【請求項２】
前記、固結化材の粉末体を一定焼成粉末に含有させ単一・複数に混合して得たことを特徴とする請求項１に記載の培地基材及びのその製造方法。
【請求項３】
前記、固結化材のｐＨ値調整を含有させ、ｐＨ値を中性にて得ることを特徴とする培地基材及びその製造方法。
【請求項４】
前記、請求項１から３に記載する植物植生に適した保水性・透水性・保肥性・耐水性・通気性を有して得たことを特徴とする培地基材及びその製造方法。
【請求項５】
前記、請求項の１から４に記載する用途に応じて比率含有攪拌混合を特徴とし、全体を均一な含水物に固結材混錬物の成形製造を特徴とする培地基材及びその製造方法。
【請求項６】
同様にて、２次加工性の自在を可能とし、道路の法面・道路の中央分離帯・道路沿いの防音壁面・砂防林面・砂漠化防止・海岸護岸面・河川護岸面・マンション緑化・ビル屋上緑化・広場の緑化等水平面・垂直面・斜面等に対応緑化成果を得ることを特徴とする緑化培地基材及びその製造方法とし、本趣旨を逸脱しない範囲の変更は、本発明に含まれる。
【発明の詳細な説明】
【技術分野】
【０００１】本発明は、ｐＨ値調整による植物用の培地基材に関し、植物植生に適した環境の培地製造することを特徴とし、その機能性において水平面・垂直面・斜面にも効果的に対応期待できる緑化に関するものである。
【背景技術】
【０００２】従来、自然環境破壊・機能の低下から緑を育む生体系・景観の回帰に取り組んでいる。水害環境の整備・培地提供の困難・土壌のｐＨ値不安植生地対応の開示・植生機材の開示されている。
【発明の開示】
【発明が解決しようとする課題】
【０００３】前記従来、環境保全から緑化対策を平面緑化・垂直緑化・斜面緑化の推進により、道路の法面・道路の中央分離帯・道路沿いの防音壁面・砂防林面・砂漠化防止・海岸護岸面・河川護岸面・マンション緑化・ビル屋上緑化広場の緑化方法は、施工・耐久性が得られることを特徴とする培地基材及びその製造方法によって効果が得られる。【０００４】本発明は、このような実状に艦みなされたものであり、植物を有効に植生できる緑化方法を提供することを目的とする。
【課題を解決するための手段】
【０００５】上記課題を解決するため、本発明技術は、植物性炭化粉粒体・粘土系鉱物粉粒体・木質チップ材等の天然有効成分を天然物質のリユ−ス構造に活用を図ったことによって合理的構成が得られ、この発明に到達した。
【発明の効果】
【０００６】以上のように、本発明技術は、植物性炭化粉粒体・粘土系鉱物粉粒・木質チップ等を水硬性固結化の適宜好適の使用によって、自然な安全、安心の有効成分を無駄なく発揮するのを目的とする。ｐＨ値調整植物用培地基材及び製造方法においても過大な設備、高額な操作技術を要せず主地域資源の利用技術を地域産業に貢献をする。【０００７】天然素材の有用な特徴と活用は、緑化培地基材として効果に優れた用材を得ることができた。【０００８】本発明の植物植生に適した保水性・透水性・保肥性・耐久性・通気性を有する培地基材を用いての平面緑化・垂直面緑化・斜面緑化を有効に緑化できる植物植性の培地を提供することができる。また、本発明は、安定・安全しかも経済性に優れた実用用材ができた。しかも、天然資源の活用から安定供給ができ、規模の自在設定ができることを特徴とする。
【発明を実施するための最良の形態】
【０００９】本発明の植生用培地成形体は耐水・耐久性に強い。しかも、弾力性の特性効果を得る。【００１０】上記技術でもって、上記成形体の植生用培地基材を多様に加工成形を可能にし、容易にハイブリットの出来ることを特徴とした。
【産業上の利用可能性】
【００１１】本発明のｐＨ値調整植物用培地基材及びその製造方法は、２次加工性を自在可能とし、道路の法面・道路の中央分離帯・道路沿いの防音壁面・砂防林面・砂漠化防止・海岸護岸面・河川護岸面・マンション緑化・ビル屋上緑化・広場の緑化等の水平面・垂直面斜面等の緑化培地基材の合理化ならびに作業能率に関する。
(57)【要約】【課題】本発明は、コンクリ−ト製品工場の野晒し状態のアルカリ中和状態化としたデッドストックの規格外製品のリサイクル製造を特徴とする人工漁礁製品の提供。産業廃棄物コンクリ−ト製品として処分される廃棄物の廃棄埋立場の残余年数が少なく処分場の残余容量を圧迫している軽減を図る。廃棄物の再資源化を積極的に行い、大量に発生するコンクリ−ト製品廃棄物を木質廃棄物・混合物との調和のとれたゼロエミッションの有効活用の水辺環境浄化・人工漁礁の用途開発の実施が必至である。【解決手段】本発明は、コンクリ−ト製品廃棄物を人工漁礁構造にした二次製品の開発。コンクリ−ト製品廃棄物に木質廃棄物・混合物との組み合わせにより水辺環境浄化・人工漁礁開発を可能とした。ゼロエミッションの有効活用による、汎用性の組み合わせ製造によって、有用機能を低コストに適用用途に対応できる汎用進化の期待ができ得ることを特徴とする。よって、地域の産業開発に貢献をする。【選択図】なし【特許請求の範囲】
【請求項１】
コンクリ−ト製品産業廃棄物に内在する複合体成形製造を特徴とするゼロエミッション有効活用の水辺環境浄化・人工漁礁システム。
【請求項２】
コンクリ−ト規格外製品産業廃棄物を有効使用した部材に木質産業廃棄物等の組み合わせ、貫通孔成形製造を特徴とするゼロエミッションの有効活用の水辺環境浄化・人工漁礁システム。
【請求項３】
請求項１および請求項２記載の部材を汎用性に複数部材の組み合わせ構造製造を特徴とするゼロエミッションの有効活用の水辺環境浄化・人工漁礁システム。
【請求項４】
請求項１および請求項３の部材利用と部材空間形成創出をなした水辺環境浄化・人工漁礁の趣旨を逸脱しない範囲の機能変更は、本発明に含まれる。
【発明の詳細な説明】
【技術分野】
【０００１】本発明は、廃棄物コンクリート製品・木質廃棄物・混合物のゼロエミッションを有効活用し、再資源化による資源循環型社会実現とした水辺環境浄化・人工漁礁製品に関するものである。
【背景技術】
【０００２】従来のコンクリ−ト製品の人工漁礁製品は、製品が新しいことから製品表面が、強アルカリ製品となることから魚介類・動植物の生息に有害が発生する。
しかも、現地組み立て作業構造を要していることから高コストになっている。
製品の表面アルカリ中和に至るまで養生期間経過を必要とすることからした水中の動植物に適正環境に困難を呈している。
コンクリ−ト製品の廃棄は、産業廃棄物であることから、処分場で埋め立て処分をされているが、排出量の増大から処分場の残余年数が少なくなっているのが現状である。【０００３】産業廃棄物処分場の新設は、開発行為、環境アセス、地元住民反対等で今後、処分場の確保が困難であることが想定される。【０００４】コンクリ−ト製品の廃棄物は、工場規格外製品を含め大量に産出されているが、用途制限から有効活用が全国的に検討されている。
【発明の開示】
【発明が解決しようとする課題】
【０００５】本発明は、産業廃棄物処分をされているコンクリ−ト製品の廃棄物の組み合わせ加工技術をもって、海・川・河等の水辺環境浄化・人工漁礁構築製造することで地域経済効果に有効な技術の適用である。【０００６】大量のコンクリ−ト製品廃棄物処理の廃棄費用に高額処理費がかかり、事業体の経営に困難をきたしている。【０００７】大量発生する産業廃棄物に加えて、コンクリ−ト製品工場の、デッドストック製品・出荷不能のサイズミス・モメント相違・気泡多発・クラック発生・よじれ発生・角割れ・外見不良・設計変更・売り上げ不振・事業失敗等の要因からゼロエミッションの有効活用を目的とする。
【課題を解決するための手段】
【０００８】セメント製品利用の多いわが国において、本発明の技術的な新規性、汎用性、派生効果を新たな市場創造の実用に向けて、社会的に安定したゼロエミッションの利用ができる体制、整備をするかどうかの受容面スタンスが大きく望まれる。
コンクリ−ト製品は大量発生しているが価値が低く、しかも使用用途制限されているために有効活用に苦慮をしている。
本発明は、人工漁礁製品を一例として汎用性の活用をもって、これを解決する。【０００９】コンリ−ト製品廃棄物のゼロエミッションスタンスは、本発明においてその効果とリサイクルシステム効果を特徴とする。
【発明の効果】
【００１０】本発明は、水辺環境問題、環境保全、資源の有効利用の意識が高まっている今日において、コンクリ−ト製品廃棄物・規格外製品の有効利用と工場内のストックヤ−ドの軽減ができる。【００１１】本発明は、コンクリ−ト製品廃棄物を廃棄することなく、砕石ダスト・木片・樹木等の廃棄物を組み合わせ加工、製造技術を取り組むことにより総体コストの軽減・成果を得る。【００１２】したがって、海・川・河・湖・池等の水流・面積によって漁礁製品の都度に質量変化・製品の厚さ・開孔部の貫通孔等の製造可能技術によって、大量発生の廃棄物を著しく低減することが出来る。【００１３】本発明のコンクリ−ト製品廃棄物は、長期間の野晒しからコンクリ−ト製品の表面のアルカリ反応は中和され、有毒物質は発生しない。【００１４】本発明は、［００１１］記載による、多孔・乱形の人工漁礁内部に形成する。【００１５】本発明の水辺環境浄化・人工漁礁は、水中植物胞子の付着効果によって、魚介類の生息場・餌場・産卵場・外敵からの隠れ場・養生場等を提供する。【００１６】本発明の低コスト製造技術は、海・川・川・湖等の水辺環境を浄化し、魚介類・動物・植物等の生息を容易とし、水流抵抗を重量対応発揮によって、水害対策に貢献する。
【発明を実施するための最良の形態】
【００１７】本発明を実施するには、産業廃棄物コンクリ−ト製品に木質産業廃棄物・混合物等の組み合わせが、水辺環境浄化・人工漁礁製造を可能とする。リサイクルの利用に関して、コンクリ−ト製品製造産業、木質産業廃棄物産業の用途拡大がはかられ、費用対効果が期待されることから地域の産業開発となる。【００１８】上記［００１１］記載の水辺環境浄化・漁礁製造は、無害化混合成形の形態製作を特徴とする。【００１９】本発明製品は、上記記載の様に汎用性を特徴とした組み合わせは合理的な成形を特徴とする。【００２０】これまで産業廃棄物として埋め立て処分していたコンクリ−ト製品の産業廃棄物・木質産業廃棄物・混合物を水辺環境浄化・人工漁礁製造の有効部材をゼロエミッション、リサイクル活用で再利用することができる。
【産業上の利用可能性】
【００２１】コンクリ−ト製品の廃棄物および木質廃棄物等の混合物のいずれかの種類の組み合わせにおいても、適切な混合によって、水辺環境浄化・人工漁礁は有効に利用できる。【００２２】木質を水中、海中で分解されることによって機能が低下する。
フナクイムシの食害発生によって木質廃棄物は、１年から５年で木質の耐久が弱まる。
木質・混合物の消失発生により廃棄物コンクリ−ト製品人工漁礁内に空洞が生じ、魚介類の生息空間の創出が発揮される。
よって人工漁礁の開発は貢献をする。【００２３】本発明によって、ゼロエミッションの有効活用によって、水辺環境浄化・人工漁礁を得た。
しかも、水辺環境に負荷を与えないことを特徴とする。【００２４】水辺環境の負荷を考慮した水辺環境浄化・人工漁礁の有効利用、木質廃棄物を組み入れた用途多様の加工方法、及び、そのゼロエミッションの有効活用の加工廃棄物活用を特徴とする。
(57)【要約】【課題】芳香性を長く維持するのに効果的で嫌な臭いを消し、リラックス効果も高いヒバ材を用いた芳香器の提供を目的とする。【解決手段】少なくとも部分的にヒバ材を用いて製作された容器に、ヒバを水蒸気蒸留して得られた、ヒバ精油又は／及びヒバ水を注入、あるいは、前記ヒバ精油又は／及びヒバ水を吸収させた膨潤材を収容したことを特徴とする。【選択図】  図１
2012085817.tif 000002
【特許請求の範囲】
【請求項１】
少なくとも部分的にヒバ材を用いて製作された容器に、ヒバを水蒸気蒸留して得られた、ヒバ精油又は／及びヒバ水を注入、あるいは、前記ヒバ精油又は／及びヒバ水を吸収させた膨潤材を収容したことを特徴とする芳香器。
【請求項２】
前記容器は蓋体を有し、当該蓋体は通気性材で製作されていることを特徴とする請求項１記載の芳香器。
【請求項３】
前記蓋体は通気性材で製作した中空部にチップ状又は粉状のヒバ材を充填してあることを特徴とする請求項２記載の芳香器。
【発明の詳細な説明】
【技術分野】
【０００１】
本発明はヒバ材を用いた芳香器に関し、特にヒバ材と、ヒバ水はヒバ精油を組み合せた芳香器に係る。
【背景技術】
【０００２】
ヒノキやヒバにはヒノキチオールと称される成分を含有し、除菌効果、防カビ効果、防虫効果及び芳香性に起因して嫌な臭いの消臭効果、リラックス効果等がある。
例えば、青森県産の青森ヒバや石川県の能登地方産の能登ヒバ等が産地として知られている。
これらの産地では多く発生する間伐材やオガクズ（大鋸屑）の利用方法が検討されていて、近年、水蒸気蒸留にて精油の抽出生産も行われている。
水蒸気蒸留は蒸気圧の高い高沸点の化合物を沸点以下の温度で蒸留する方法であり、流出する加熱蒸気を冷却するとヒバ精油と、ヒバの精油成分がわずかに溶けているヒバ水（ヒバ蒸留水）とが得られる。
ヒバ精油はエッセンシャルオイルとして販売され、消臭剤、芳香剤、入浴剤、抗菌剤、防虫・防アリ剤等して使用されている。
また、ヒバ精油よりも数倍多く生産されるヒバ水は少量のヒバ成分が含まれているので、そのままスプレー芳香剤、抗菌・防カビ剤、あるいは化粧水として使用されている。
しかし、ヒバの香りは嫌な臭いを消し、リラックス効果があるものの、これまで市販されているものは長期間使用できるものではなかった。
【０００３】
特許文献１には、ヒノキやヒバを用いて木製の容器を製作し芳香成分が減少すると、研磨具で研磨する技術を開示する。
しかし、研磨作用そのものがわずらわしく、また研磨にて回復する芳香性にも限界があった。
【先行技術文献】
【特許文献】
【０００４】
【特許文献１】特開２００４−０６５９４７号公報
【発明の概要】
【発明が解決しようとする課題】
【０００５】
本発明は、芳香性を長く維持するのに効果的で嫌な臭いを消し、リラックス効果も高いヒバ材を用いた芳香器の提供を目的とする。
【課題を解決するための手段】
【０００６】
本発明に係る芳香器は、少なくとも部分的にヒバ材を用いて製作された容器に、ヒバを水蒸気蒸留して得られた、ヒバ精油又は／及びヒバ水を注入、あるいは、前記ヒバ精油又は／及びヒバ水を吸収させた膨潤材を収容したことを特徴とする。
【０００７】
ここで、前記容器は蓋体を有し、当該蓋体は通気性材で製作されているのが好ましく、さらには前記蓋体は通気性材で製作した中空部にチップ状又は粉状のヒバ材を充填してあってもよい。
【０００８】
本発明は、容器が蓋付きでなくてもよいが、蓋体を有すると中身の入れ替えが容易である。
容器は全体をヒバの板材等で製作してもよいが、中身の減量や変化等が外部から見えるように容器の側壁等の一部を透明体で製作するのが好ましい。
本発明にてヒバ水とはヒバを用いて水蒸気蒸留した際に発生する蒸留水をいう。
また、膨潤材とは吸水性が高い高分子体等をいい、ヒバ水を吸収して体積が膨張し、ヒバ水が蒸発すると体積が縮小する。
ボール形状のものやシート状のものがあり、色も各種存在する。
【発明の効果】
【０００９】
本発明に係る芳香器は、ヒバ材で製作した容器の中にヒバ水等を入れたのでヒバ水等が容器の内側から容器を構成するヒバ材に浸透し、ヒバ材に補給されるのでヒバの香りが長期間にわたって持続する。
ヒバ材として間伐材を用い、蓋体の充填にヒバのオガクズを用いると廃棄物の低減に役立ち、リサイクル効果も生じる。
容器の一部を透明体で形成すると内部の変化や減量が外部から見えてよい。
また、蓋体に通気材を用い、さらにはその中にチップ状、粉状のヒバ材を充填すると芳香作用が増大する。
【図面の簡単な説明】
【００１０】
【図１】本発明に係る芳香器の例を示す。
【発明を実施するための形態】
【００１１】
本発明に係る芳香器は容器全体を全てヒバ材で製作する必要はなく、容器内に入れたヒバ水が浸透する側壁等の少なくとも一部がヒバ材であればよく、また容器にヒバ水又は／及びヒバ精油が注入できれば蓋体も必ずしも必須ではない。
以下、図面に基づいて説明する。
【００１２】
図１に示した実施例はマス状の容器１０に蓋体２０を設けた例である。
容器の構造及び形状に限定はない。
容器１０はヒバ材からなる板材とアクリル板の透明体を組み合せたもので、側壁１１ａ，１１ｂ，１１ｃと底板１３はヒバ材を用い、正面の側壁を透明体１２にした。
側壁の一部を透明体１２にすると、内部に注入したヒバ水３０の減量が外部から見えるのでよい。
また、本実施例は容器１０にヒバ水を入れた例になっているが、カラーボールのような膨潤材にヒバ水を吸収させて容器内に入れると、ボールの大きさの変化で減量を確認することができる。
容器１０自体がヒバ材で製作されているので芳香性に優れ、さらに中身のヒバ水が蒸発あるいは側壁に浸透し、外部に蒸発するので長期間にわたって芳香性を有する。
従って、容器の側壁は一面のみを透明体にし、出来るだけ広い範囲をヒバ材で製作するのがよい。
また、板厚も５〜２０ｍｍと薄くてよい。
【００１３】
蓋体２０はヒバ材で枠２１（２１ａ，２１ｂ，２１ｃ，２１ｄ）を製作し、中にヒバのオガクズ４０を充填し、上面と底面を通気材２２，２３にて塞いだ例になっている。
通気材２２，２３は通気性があり、メッシュ材、布材、不織布材等、中のオガクズ４０が外部に落ちないものがよい。
ヒバ材のオガクズ４０はチップ状や粉状であり、表面積が大きいので芳香効果が高い。
また、下からヒバ水が蒸発し、吸湿するのでさらに芳香性が向上する。
従って、本発明に係る芳香器は長期にわたって芳香性が高く、除菌効果があり、心身のリラックス効果も期待される。
なお、ヒバ水とヒバ精油を組み合わせても良く、他の芳香成分と組み合わせても良い。
【符号の説明】
【００１４】
１０      容器
２０      蓋体
２１      枠
２２      通気材
２３      通気材
３０      ヒバ水
４０      オガクズ
【図１】
2012085817.tif 000003
(57)【要約】【課題】本発明の目的は、携帯無線機を更に小型化および防水性を向上させ、かつボタンキーの誤操作を低減させることである。【解決手段】本発明の携帯無線機は、操作部に複数のボタンキーを配置し、複数のボタンキーは、ボタンキーの下部に配置したボタンキー支持部材を介して、回路基板の押しボタンスイッチを押下する構造であり、複数のボタンキーを仕切るリブ部は、回路基板に直接取付ける構造であり、ボタンキー支持部材は、操作部の防水構造も兼ねていることを特徴とする。【選択図】  図１
2012085094.tif 000002
【特許請求の範囲】
【請求項１】
無線通信により送受信を行う携帯無線機であって、
操作部に複数のボタンキーを配置し、
前記複数のボタンキーは、前記ボタンキーの下部に配置したボタンキー支持部材を介して、回路基板の押しボタンスイッチを押下する構造であり、
前記複数のボタンキーを仕切るリブ部は、前記回路基板に直接取付ける構造であり、
前記ボタンキー支持部材は、前記操作部の防水構造も兼ねていることを特徴とする携帯無線機。
【発明の詳細な説明】
【技術分野】
【０００１】
本発明は、携帯無線機に関し、特にボタンキーの取り付け構造および防水構造に関するものである。
【背景技術】
【０００２】
従来、携帯無線機において、操作ボタンで作動するスイッチが取付けられた配線基板を容易に組み込めるようにしていた（例えば、特許文献１参照。）
【０００３】
【特許文献１】特開２０１０−０６８３３４号公報
【発明の開示】
【発明が解決しようとする課題】
【０００４】
本発明の目的は、従来技術の携帯無線機を更に小型化および防水性を向上させ、かつボタンキーの誤操作を低減させることである。
【課題を解決するための手段】
【０００５】
本発明の携帯無線機は、操作部に複数のボタンキーを配置し、複数のボタンキーは、ボタンキーの下部に配置したボタンキー支持部材を介して、回路基板の押しボタンスイッチを押下する構造であり、複数のボタンキーを仕切るリブ部は、回路基板に直接取付ける構造であり、ボタンキー支持部材は、操作部の防水構造も兼ねていることを特徴とする。
【発明の効果】
【０００６】
本発明の携帯無線機の構造とすることにより、携帯無線機の小型化および防水性向上ができ、更にボタンキーの誤操作を防止することができる。
【図面の簡単な説明】
【０００７】
【図１】携帯無線機の外観図である。
【図２】本発明の一実施例である操作部の断面図であり、図１のＡ−Ａ矢視図である。
【図３】本発明の一実施例である操作部の断面図であり、図１のＢ−Ｂ矢視図である。
【発明を実施するための最良の形態】
【０００８】
本発明の一実施例を図１で説明する。
図１は、本発明の携帯無線機１の外観図である。図１において、携帯無線機１は、少なくともスピーカ１１と、表示部１２と、操作部２０で構成している。
【０００９】
スピーカ１１は相手先機器から送信される音声信号を音声に変換するものであり、表示部１２は送受信に関連の表示を行う液晶パネル等であり、操作部２０は送受信に関連するチャネル選択等を行うボタンキー２１を備えている。
【００１０】
次に本発明の一実施例である携帯無線機１の構造について図２と図３を用いて詳細に説明する。図２（ａ）は本発明の一実施例である操作部２０の断面図であり、図１のＡ−Ａ矢視図である。図２（ｂ）は図２（ａ）のボタンキー支持部材２５の拡大図である。図３（ａ）は本発明の一実施例である操作部２０の断面図であり、図１のＢ−Ｂ矢視図である。図３（ｂ）は図３（ａ）のボタンキー支持部材２５の拡大図である。
【００１１】
図２（ａ）およびの図３（ａ）に示すボタンキー２１の取り付け構造は、ボタンキー２１と弾性を有するボタンキー支持部材２５が接着されて一体化しており、ボタンキー支持部材２５は隣接するボタンキー２１の間に装置筐体２２が存在しないことにより、ボタンキー２１相互の間隔を狭くすることができる。
【００１２】
ボタンキー支持部材２５は、それ自体で装置筐体２２の溝部２７に嵌まり込み防水機能も兼ねることができ、プリント基板２３を組み込む時にボタンキー支持部材２５も固定できる構造である。
【００１３】
本発明の一実施例を図２（ａ）および図３（ａ）を用いて説明する。操作者が携帯無線機１のボタンキー２１を押下することにより、外力がボタンキー２１からボタンキー支持部材２５に伝わり、ボタンキー支持部材２５の突起部２５１が押しボタンスイッチ２４を押し下げることにより、押しボタンスイッチ２４がＯＮとなる。
【００１４】
次に、本発明の一実施例であるボタンキー支持部材２５について、図２（ｂ）および図３（ｂ）を用いて説明する。
ボタンキー支持部材２５は、例えば、材質が弾性部材のシリコンゴムであり、硬さが６０〜６２であり、肉厚が０．３ｍｍ〜０．５ｍｍであり、角度ｅおよびｆが略１３５°である。
【００１５】
ボタンキー支持部材２５は、押しボタンスイッチ２４接点を押圧するための突起部２５１が形成されていて、ボタンキー２１とボタンキー支持部材２５が接着されている面は外力が加わるとプリント基板２３側に倒れこむ構造で、その角度ｅおよびｆは略１３５°に形成されている。誤操作防止のため、各ボタンキー２１の間にはプリント基板２３に固定されるリブ部２６が形成されていて、ボタンキー２１が押圧されても隣接するボタンキーに外力が加わることを防ぐ構造となっている。
【００１６】
また、本発明は、ボタンキー２１の操作性を考慮したボタンキーの形状であること、ボタンキー２１に外力が加わるとプリント基板２３側に倒れこむようにリブ部２６から所定の距離をとることにより、ボタンキー２１とボタンキー支持部材２５の設置面積が小さくできることが特徴である。
【００１７】
さらに、本発明の他の一実施例について、図３（ａ）用いて説明する。
本発明のボタンキー２１は、図３（ａ）に示すように、指との接触面が上から下に向けて湾曲し、かつ上端より下端の方が高くすることにより、ボタンキーの小型化及び狭間隔化に伴う隣接するボタンキーとの誤操作を低減させる構造としている。
【００１８】
本発明の効果は、携帯無線機の小型化および防水性向上ができ、更にボタンキーの誤操作を防止することができる。
【００１９】
以上本発明について詳細に説明したが、本発明は、ここに記載された携帯無線機に限定されるものではなく、上記以外の携帯無線機に広く適用することができることは言うまでもない。
【符号の説明】
【００２０】
１：携帯無線機、１１：スピーカ、１２：表示部、２０：操作部、２１ボタンキー、２２：フレーム、２３：プリント板、２４：押しボタンスイッチ、２５：ボタンキー支持部材、２６：リブ部、２７：溝部、２５１：突起部。
【図１】
2012085094.tif 000003
【図２】
2012085094.tif 000004
【図３】
2012085094.tif 000005